(57)【要約】【課題】従来は１個の石で形成されていた重量の重い台石を省いて、台石を中空の箱構造にして納骨堂と兼用させ、材料費を低減させると共に、施工を容易にし、しかも納骨堂の内部を広くして、前面から納骨することができる納骨堂兼用型台石を提供するものである。【解決手段】台石１６を、左右の骨堂壁５ａ、５ｂを兼ねる左右の側板２２ａ、２２ｂと、背面板２２ｃ、前面の扉２２ｄおよびこの上に載せた天井板２４で箱状に形成して内部を納骨堂６とし、この天井板２４の上に、中台１０と上台１１、棹石１２を積み重ねたものである。【選択図】図３
2004197304.tif 000002
【特許請求の範囲】
【請求項１】
台石を、骨堂壁を兼ねる左右の側板と、背面板およびこの上に載せた天井板で箱状に形成して内部を納骨堂とし、この天井板の上に、中間の中台や上台を介して棹石を載せるようにしたことを特徴とする納骨堂兼用型台石。
【請求項２】
納骨堂の左右の側板と外柵との間に支持板を介在させて外柵と一体に支持したことを特徴とする請求項１記載の納骨堂兼用型台石。
【請求項３】
納骨堂の左右の側板と外柵との間に支持板を介在させ、この上に貼板を被せて、納骨堂と外柵との間に密閉した空間部を形成したことを特徴とする請求項２記載の納骨堂兼用型台石。
【請求項４】
納骨堂の前面に扉を取付けると共に、内部に棚を形成したことを特徴とする請求項１記載の納骨堂兼用型台石。
【発明の詳細な説明】
【０００１】
【発明の属する技術分野】
本発明は台石が納骨堂を兼用する墓構造に関するものである。
【０００２】
【従来の技術】
従来の墓基礎構造は、図５に示すように、コンクリート基礎１の上に胴石２を枠状に組立てて外柵３を形成し、コンクリート基礎１の内側の土４が露出した部分を囲むように左右の骨堂壁５ａ、５ｂを配置して、これと前面と背面の胴石２との間の空間部に納骨堂６を形成すると共に、外柵３と骨堂壁５ａ、５ｂとの間に土や砂利７を充填して納骨堂６を支持している。
【０００３】
この後、納骨堂６の上部前面側に拝石８を載せ、この後ろの納骨堂６の上部後方に、墓石の下部を構成する台石９を載せる。更にこの台石９の上に、中台１０、上台１１、棹石１２を順次重ねて墓石を形成する。
【０００４】
しかしながらこの墓構造では、納骨堂６を組立てた上に台石９を載せているので、組立て工程が２工程になり、しかも重量の重い台石９は、価格が高い上、運搬や施工性が悪く重労働であった。また従来の構造では、納骨堂６が埋設されているので納骨堂６の容積が狭い上、納骨する場合には拝石８をずらして上から収納しなければならず、奥まで骨壷を入れるのが面倒であった。
【０００５】
【発明が解決しようとする課題】
本発明は上記問題を改善し、従来は１個の石で形成されていた重量の重い台石を省いて、台石を中空の箱構造にして納骨堂と兼用させ、材料費を低減させると共に、施工を容易にし、しかも納骨堂の内部を広くして、前面から納骨することができる納骨堂兼用型台石を提供するものである。
【０００６】
【課題を解決するための手段】
本発明の請求項１記載の納骨堂兼用型台石は、台石を、骨堂壁を兼ねる左右の側板と、背面板およびこの上に載せた天井板で箱状に形成して内部を納骨堂とし、この天井板の上に、中間の中台や上台を介して棹石を載せるようにしたことを特徴とするものである。
【０００７】
本発明の請求項２記載の納骨堂兼用型台石は、納骨堂の左右の側板と外柵との間に支持板を介在させて外柵と一体に支持したことを特徴とするものである。
【０００８】
また請求項３記載の納骨堂兼用型台石は、納骨堂の左右の側板と外柵との間に支持板を介在させ、この上に貼板を被せて、納骨堂と外柵との間に密閉した空間部を形成したことを特徴とするものである。更に請求項４記載の納骨堂兼用型台石は、納骨堂の前面に扉を取付けると共に、内部に棚を形成したことを特徴とするものである。
【０００９】
【発明の実施の形態】
以下本発明の実施の一形態を図１ないし図３を参照して詳細に説明する。図１は墓構造を示すもので、左右の胴石２ａ、２ｂの背面に背面胴石２ｄが枠状に組立てられ、前面の踏石１４の上に左右の親柱１５、１５が設置されて外柵３が形成されている。１６は台石でこの上に、中間の中台１０と上台１１および棹石１２を順次載せて墓石が構成されている。
【００１０】
また台石１６の横には、左右の前面胴石２ｃ、２ｃが外柵３との間に介在され、この上に左右の貼板１７ａ、１７ｂが取付けられて、台石１６の側面を支持している。また台石１６の前面には、収納庫１８が設置されこの上に香炉１９や花立２０が載置されている。
【００１１】
また台石１６は図２に示すように、左右の骨堂壁５ａ、５ｂを兼ねる側板２２ａ、２２ｂと、背面板２２ｃ、前面の扉２２ｄと、この上に図３に示すように載せた天井板２４とで箱状に形成され、この内部を納骨堂６としている。また納骨堂６の内部には棚２６が取付けられている。
【００１２】
この台石１６の背面板２２ｃと外柵３の背面胴石２ｄとの間には支持板２７ａ、２７ｂが設けられ、この支持板２７ａ、２７ｂと前面胴石２ｃ、２ｃの上に、それぞれ貼板１７ａ、１７ｂが取付けられて、台石１６の左右の側板２２ａ、２２ｂを支持していると共に、この内側に密閉した空間部２９、２９が形成されている。また台石１６の前面の扉２２ｄの前には、背面側が開口した収納庫１８が設置され、この収納庫１８の前面には左右に開閉する扉２５が取付けられている。
【００１３】
上記構成の納骨堂兼用型台石は、左右の骨堂壁５ａ、５ｂを兼ねる側板２２ａ、２２ｂと、背面板２２ｃ、前面の扉２２ｄと、この上に載せた天井板２４とで箱状に形成され、従来は１個の石で形成されていた重量の重い台石に比べて使用する石材の量が少なく安価で、しかも軽量であるので運搬が容易である。
【００１４】
また箱状に形成された台石１６の内部を納骨堂６として兼用しているので、納骨堂６を組立てるだけで台石１６が形成され、施工性に優れている。また台石１６はその上部が貼板１７ａ、１７ｂから突出し、また前面の扉２２ｄの前に収納庫１８が設置されているので、外観上は従来の台石とほとんど変わらない。
【００１５】
また台石１６は貼板１７ａ、１７ｂから突出した上部の内側も納骨堂６となっているので、納骨堂６は半分埋設された状態で形成され、内部空間が広くなっているので、棚２６を設けて多数の骨壷を収納することができる。また納骨する場合には、収納庫１８の扉２５、２５を開いて、台石１６の前面の扉２２ｄを外して、前方から骨壷を収納できるので、従来の拝石８をずらせて上方から収納する場合に比べて奥まで収納することができる。
【００１６】
また台石１６を構成する左右の側板２２ａ、２２ｂと、背面板２２ｃは、外柵３の内側に介在させた、左右の前面胴石２ｃ、２ｃと支持板２７ａ、２７ｂおよび貼板１７ａ、１７ｂで支持されて外柵３と一体に形成されているので強度も十分である。
【００１７】
また台石１６の側板２２ａ、２２ｂと、左右の胴石２ａ、２ｂ、前面胴石２ｃ、２ｃ、支持板２７、２７で枠状に囲まれた上部には貼板１７ａ、１７ｂが取付けられて、密閉した空間部２９、２９が形成されているので、従来のように雨水や雪融け水などが入り込むことがなく、石材の汚れや変色がなく、水の凍結による割れや変形を防止することができる。
【００１８】
図４は本発明の他の実施の形態を示すもので、左右の胴石２ａ、２ｂと背面胴石２ｄおよび前面胴石２ｃとで四角枠状の外柵３を構成し、この内側に納骨堂６を兼ねる台石１６を設置し、この間に支持板や束石を配置してこの上に貼板１７ａ、１７ｂを被せたものである。また拝石８をずらせると、納骨堂６の前面の扉２２ｄの前方に空間部が形成されるようになっている。
【００１９】
また納骨堂６の前面の扉２２ｄの代わり前面板を取付け、納骨堂６の上部前側を開放して、ここに拝石８を取外し自在に設けると共に、この後方に天井板２４を取付け、この上に中台１０を載せた構造でも良い。
【００２０】
なお上記説明では納骨堂６を兼用する台石１６の上に、中台１０と上台１１を介して棹石１２を載せた構造について示したが、中台１０を省いた構造でも良い。
【００２１】
【発明の効果】
以上説明した如く本発明に係る請求項１記載の納骨堂兼用型台石によれば、台石が石板を箱状に組み合わせて形成されているので、使用する石材の量が少なく安価で、しかも軽量で運搬が容易である。また箱状に形成された台石の内部を納骨堂として兼用しているので、納骨堂を組立てるだけで台石が形成され、施工性に優れ、しかも外観上は従来の台石とほとんど変わらない。また納骨堂の内部空間が広く形成できるので多数の骨壷を収納することができる。
【００２２】
また請求項２記載の納骨堂兼用型台石によれば、納骨堂の左右の側板と外柵との間に支持板を介在させて、外柵と一体に支持されているので強度も十分である。また請求項３記載の納骨堂兼用型台石によれば、納骨堂の左右の側板と外柵との間に支持板を介在させ、この上に貼板を被せて、納骨堂と外柵との間に密閉した空間部を形成したので、雨水や雪融け水などが入り込むことがなく、石材の汚れや変色がなく、水の凍結による割れや変形を防止することができる。
【００２３】
また請求項４記載の納骨堂兼用型台石によれば、納骨堂の前面に扉を取付けると共に、内部に棚を形成したので、骨壷の収納が容易で、多数の骨壷を収納することができる。
【図面の簡単な説明】
【図１】本発明の実施の一形態による納骨堂兼用型台石を設置した墓の斜視図である。
【図２】図１の墓構造を示す水平断面図である。
【図３】図１の墓構造の下部を破断して示す正面図である。
【図４】本発明の他の実施の形態による納骨堂兼用型台石を設置した墓の斜視図である。
【図５】従来の墓構造の下部を破断して示す正面図である。
【符号の説明】
１    コンクリート基礎                  
２    胴石                              
３    外柵                              
４    土                                
５ａ  骨堂壁                            
６    納骨堂                            
７    砂利                              
８    拝石                              
９    台石                              
１０  中台                              
１１  上台                              
１２  棹石                              
１４  踏石                              
１５  親柱                              
１６  台石                              
１７  貼板                              
１８  収納庫                            
１９  香炉                              
２０  花立                              
２２  側板                              
２４  天井板                            
２６  棚      
２７  支持板  
２９  空間部  
３０  底板      
３１  柱
【図１】
2004197304.tif 000003
【図２】
2004197304.tif 000004
【図３】
2004197304.tif 000005
【図４】
2004197304.tif 000006
【図５】
2004197304.tif 000007